(57)【要約】【課題】  現像剤が搬送部材に詰まりにくくなるようにする。【解決手段】  現像装置１３は、ハウジング３０と、搬送部材３１，３２と、現像ローラ３３とを備えている。ハウジング３０は、現像剤を収容可能になっている。搬送部材３１，３２は、現像剤を搬送するためのものである。この搬送部材３１，３２は、軸部３１ａ，３２ａと羽部３１ｂ，３２ｂとを有している。軸部３１ａ，３２ａは、ハウジング３０に回転自在に装着される。羽部３１ｂ，３２ｂは、軸部３１ａ，３２ａまわりに螺旋状に一体に形成されている。この羽部３１ｂ，３２ｂには、軸部３１ａ，３２ａの一端側から他端側へと螺旋状に延びる連通部３１ｄ，３２ｄが形成可能なように複数の切欠部３１ｃ，３２ｃが形成されている。現像ローラ３３は、搬送部材３１，３２により搬送される現像剤を像担持体１０に付着させる。【選択図】      図４
2006098883.tif 000002
【特許請求の範囲】
【請求項１】
像担持体に形成された静電潜像を現像剤によって現像するための現像装置であって、
前記現像剤を収容可能なハウジングと、
前記現像剤を搬送するためのものであり、前記ハウジングに回転自在に装着される軸部と前記軸部まわりに螺旋状に一体に形成された羽部とを有する搬送部材と、
前記搬送部材により搬送される前記現像剤を前記像担持体に付着させる現像ローラと、
を備え、
前記羽部には、前記軸部の一端側から他端側へと螺旋状に延びる連通部が形成可能なように複数の切欠部が形成される、
現像装置。
【請求項２】
前記連通部は、前記羽部の螺旋方向と同じ方向に螺旋状に形成されている、
請求項１に記載の現像装置。
【請求項３】
前記連通部のリード角は、前記羽部のリード角より大きくなっている、
請求項１又は２に記載の現像装置。
【請求項４】
前記羽部は、複数の扇形板部と複数の前記切欠部とからなっており、
前記軸部まわりに形成された前記扇形板部に対応する前記軸部まわりの第１角度と、前記扇形板部に隣接するように前記軸部まわりに形成された前記切欠部に対応する前記軸部まわりの第２角度との和は、３６０度より大きくなっている、
請求項１から３のいずれかに記載の現像装置。
【発明の詳細な説明】
【技術分野】
【０００１】
本発明は、現像装置、特に、像担持体に形成された静電潜像を現像剤によって現像するための現像装置に関する。
【背景技術】
【０００２】
現像装置は、感光体ドラムに形成された静電潜像をトナーによって現像するためのものである。従来の現像装置は、一般的に、ハウジングと、搬送部材と、現像ローラとを備えている。ハウジングは、ハウジングに隣接して配置されたトナー供給装置からのトナーを収容可能になっている。搬送部材は、トナーを搬送するためのものであり、軸部と羽部とを有している。軸部は、ハウジングに回転自在に装着される。羽部は、軸部まわりに螺旋状に一体に形成されている。現像ローラは、搬送部材により搬送されたトナーを感光体ドラムに付着させる。
【０００３】
このような現像装置のうち、搬送部材の羽部に複数の切欠部が形成されたものがある（特許文献１）。複数の切欠部は、それぞれが軸部の一端側から他端側へと直線状に同位置に配置されている。このような切欠部を羽部に形成すると、トナーを搬送することができるとともに、キャリアを含むトナーを搬送中に攪拌する効果を向上することができる。
【特許文献１】特開平８−１７１２７８
【発明の開示】
【発明が解決しようとする課題】
【０００４】
従来の現像装置の搬送部材では、軸部まわりに螺旋状に一体に形成された羽部によって、トナーを循環搬送することができるようになっている。このような搬送部材によってトナーを搬送する場合、搬送中に一旦トナーが羽部の羽に付着してしまうと、羽部におけるトナーの循環が悪くなるおそれがある。そして、この状態で搬送部材を利用し続けると、羽部の羽間にトナーが滞ってしまい、搬送部材においてトナー詰まりが発生してしまうおそれがある。特に、トナーの成分が１成分である場合はトナーの成分が２成分である場合よりも、トナーの流動性が劣るために、この問題は発生しやすくなる。
【０００５】
この問題は、特許文献１に示されたような搬送部材においても同様に生じうる。この場合は、複数の切欠部それぞれが軸部の一端側から他端側へと直線状に同位置に配置されているため、トナーの攪拌性能を切欠部によって向上することが可能である。しかしながら、トナー搬送中にトナーが切欠部の除く羽部の羽に付着してしまうと、やはり羽部の羽間にトナーが滞ってしまい、搬送部材においてトナー詰まりが発生してしまうおそれがある。
【０００６】
本発明の課題は、現像剤が搬送部材に詰まりにくくなるようにすることにある。
【課題を解決するための手段】
【０００７】
請求項１に係る現像装置は、像担持体に形成された静電潜像を現像剤によって現像するための現像装置である。この現像装置は、ハウジングと、搬送部材と、現像ローラとを備えている。ハウジングは、現像剤を収容可能になっている。搬送部材は、現像剤を搬送するためのものである。この搬送部材は、軸部と羽部とを有している。軸部は、ハウジングに回転自在に装着される。羽部は、軸部まわりに螺旋状に一体に形成されている。この羽部には、軸部の一端側から他端側へと螺旋状に延びる連通部が形成可能なように複数の切欠部が形成されている。現像ローラは、搬送部材により搬送される現像剤を像担持体に付着させる。
【０００８】
この現像装置では、ハウジングに隣接して配置された現像剤供給装置から供給される現像剤がハウジングに収容される。そして、ハウジングに収容された現像剤が、搬送部材の軸部まわりに螺旋状に一体に形成された羽部によって、現像ローラへと搬送される。すなわち、現像剤は、螺旋状に設けられた羽部の複数の羽によって、現像ローラへと搬送される。また、現像剤は、複数の切欠部によって攪拌され、連通部によっても現像ローラへと搬送可能になっている。このようにして、現像ローラに搬送される現像剤は、現像ローラによって像担持体に付着させられる。
【０００９】
ここでは、搬送部材において、現像剤が、複数の切欠部によって攪拌されながら、複数の羽によって形成される搬送経路と切欠部によって形成される連通部とを通じて、現像ローラへと搬送可能になっているので、現像剤が搬送部材に詰まりにくい。また、現像剤が羽部の羽に付着して羽部の羽間に滞ったとしても、現像剤は連通部を通じて現像ローラに搬送可能であるので、現像剤が搬送部材に詰まりにくい。さらに、現像剤が羽部の羽に付着して羽部の羽間に滞ったとしても、連通部を通じて現像ローラに搬送される現像剤が、羽部の羽間に滞った現像剤を押し崩すことができる。この理由は、軸部の回転による遠心力、又はこの遠心力と連通部に沿った方向の搬送方向力との合力が、連通部を通じて現像ローラに搬送される現像剤に対して働き、連通部を通じて現像ローラに搬送される現像剤が、羽部の羽間に滞った現像剤を押し崩すという効果を有しているためである。これにより、現像剤が搬送部材に詰まりにくくなる。
【００１０】
請求項２に係る現像装置では、請求項１に記載の現像装置において、連通部が羽部の螺旋方向と同じ方向に螺旋状に形成されている。この場合、連通部は羽部の螺旋方向と同じ方向に螺旋状に形成されているので、搬送部材の回転時に、現像剤を連通部を通じて現像ローラへと搬送しやすくなる。また、現像剤が羽部の羽に付着して羽部の羽間に滞ったとしても、連通部を通じて現像ローラに搬送される現像剤が、羽部の羽間に滞った現像剤を押し崩しやすくなる。これらのことから、現像剤が搬送部材に詰まりにくくなる。
【００１１】
請求項３に係る現像装置では、請求項１又は２に記載の現像装置において、連通部のリード角が羽部のリード角より大きくなっている。この場合、搬送部材の軸部長さが変化しても、連通部のリード角が羽部のリード角より大きくなるように複数の切欠部を羽部に形成するようにしておけば、羽部の羽によって形成される搬送経路とは異なる搬送経路である連通部を、搬送部材において確保することができる。これにより、搬送部材の回転時に、現像剤を連通部を通じて現像ローラへと搬送することができる。また、現像剤が羽部の羽に付着して羽部の羽間に滞ったとしても、連通部を通じて現像ローラに搬送される現像剤が、羽部の羽間に滞った現像剤を押し崩すことができる。これらのことから、現像剤が搬送部材に詰まりにくくなる。
【００１２】
請求項４に係る現像装置では、請求項１から３のいずれかに記載の現像装置において、羽部が、複数の扇形板部と複数の切欠部とからなっている。そして、軸部まわりに形成されたある扇形板部に対応する軸部まわりの第１角度と、ある扇形板部に隣接するように軸部まわりに形成された切欠部に対応する軸部まわりの第２角度との和は、３６０度より大きくなっている。この場合、ある扇形板部に対応する軸部まわりの第１角度と、ある扇形板部に隣接した切欠部に対応する軸部まわりの第２角度との和は、３６０度より大きくなっているので、複数の切欠部それぞれを軸部の回転方向に位相がずれた状態で形成することができる。すると、羽部の羽によって形成される搬送経路とは異なる搬送経路である連通部を、複数の切欠部によって形成することができる。これにより、搬送部材の回転時に、現像剤を連通部を通じて現像ローラへと搬送することができる。また、現像剤が羽部の羽に付着して羽部の羽間に滞ったとしても、連通部を通じて現像ローラに搬送される現像剤が、羽部の羽間に滞った現像剤を押し崩すことができる。これらのことから、現像剤が搬送部材に詰まりにくくなる。
【発明の効果】
【００１３】
本発明によれば、搬送部材において、現像剤が、複数の切欠部によって攪拌されながら、複数の羽によって形成される搬送経路と切欠部によって形成される連通部とを通じて、現像ローラへと搬送可能になっているので、現像剤が搬送部材に詰まりにくい。また、現像剤が羽部の羽に付着して羽部の羽間に滞ったとしても、現像剤は連通部を通じて現像ローラに搬送可能であるので、現像剤が搬送部材に詰まりにくい。さらに、現像剤が羽部の羽に付着して羽部の羽間に滞ったとしても、連通部を通じて現像ローラに搬送される現像剤が、羽部の羽間に滞った現像剤を押し崩すことができるので、現像剤が搬送部材に詰まりにくくなる。
【発明を実施するための最良の形態】
【００１４】
図１は、本発明の一実施形態によるタンデム型カラープリンタの概略断面図を示している。このカラープリンタ１は、カラー画像形成のための各色の画像形成部２（２Ｍ，２Ｙ，２Ｃ，２Ｂ）と、各色のトナー供給装置３（３Ｍ，３Ｙ，３Ｃ，３Ｂ）と、用紙を搬送する搬送ベルト４と、搬送される用紙に各色のトナー画像を転写するための第１から第４転写ローラ５Ｍ，５Ｙ，５Ｃ，５Ｂと、画像形成部２Ｍ，２Ｙ，２Ｃ，２Ｂに用紙を給紙する給紙機構６と、用紙上に転写されたトナー画像を定着するための定着部７と、排出部８とを有している。
【００１５】
画像形成部２Ｍ，２Ｙ，２Ｃ，２Ｂは、それぞれマゼンダ、イエロー、シアン、ブラックの各色のトナー画像を形成するものであり、用紙の搬送方向上流側から搬送ベルト４に沿って横方向に順に並べて配置されている。これらの画像形成部２Ｍ，２Ｙ，２Ｃ，２Ｂのそれぞれは、像担持体としてのアモルファスシリコン等からなる感光層を有する感光体ドラム１０を有し、各感光体ドラム１０の周囲には帯電器１１、露光器１２、現像装置１３及びクリーニング装置１４が順に配置されている。
【００１６】
搬送ベルト４は、駆動ローラ２０と従動ローラ２１との間に掛け渡されて循環駆動されている。この搬送ベルト４は、給紙機構６から給紙搬送路２２を介して搬送されてきた用紙を吸着してほぼ水平方向に搬送している。第１から第４転写ローラ５Ｍ，５Ｙ，５Ｃ，５Ｂは、この搬送ベルト４を介して各画像形成部２Ｍ，２Ｙ，２Ｃ，２Ｂの感光体ドラム１０に対向するように配置されている。この第１から第４転写ローラ５Ｍ，５Ｙ，５Ｃ，５Ｂは、それぞれがソレノイド２３によって上方の転写位置と下方の解除位置との間で移動可能となっている。ここで、第１から第４転写ローラ５Ｍ，５Ｙ，５Ｃ，５Ｂが上方に移動して転写位置に配置されると、搬送ベルト４上の用紙は感光体ドラム１０に接触した状態になる。一方、第１から第４転写ローラ５Ｍ，５Ｙ，５Ｃ，５Ｂが下方に移動して解除位置に配置されると、搬送ベルト４上の用紙と感光体ドラム１０とは離れた状態になる。
【００１７】
給紙搬送路２２は、搬送のガイドとなるガイド部材と、複数のローラ対とから構成されており、この給紙搬送路２２の最も下流側には、トナー画像の形成と用紙の搬送とを同期させるためのレジストローラ対２５が設けられている。そして、レジストローラ対２５と第１転写ローラ５Ｍとの間には、吸着ローラ２６が設けられている。この例では、吸着ローラ２６が、搬送ベルト４が掛けられた従動ローラ２１の上方に従動ローラ２１と対向して配置されている。この位置で、吸着ローラ２６は、用紙の先端部あるいは全面に吸着用のバイアス電圧を印加して、用紙を搬送ベルト４に吸着させている。
【００１８】
定着部７は、内部にヒータを有する加熱ローラ及び加熱ローラに押圧される加圧ローラを有している。そして、この定着部７と排出部８との間には排紙搬送路２７が設けられている。排紙搬送路２７は、給紙搬送路２２と同様に、ガイド部材と、複数のローラ対とから構成されている。なお、排出部８は装置の上面に形成されており、定着部７を通過した用紙が、排紙搬送路２７を介して上方に搬送され装置の上面に排出される。
【００１９】
トナー供給装置３は、現像装置１３にトナーを供給するためのものであり、現像装置１３の上部に配置されている。トナー供給装置３は、主に、図示しない、トナーを収容するためのトナー収容容器と、トナーを攪拌するための複数のトナー攪拌部材と、攪拌されたトナーをトナー供給口へと搬送するためのトナー搬送部材とを有している。
【００２０】
現像装置１３は、感光体ドラム１０に形成された静電潜像をトナーによって現像するためのものである。この現像装置１３は、図２に示すように、ハウジング３０と、第１搬送部材３１および第２搬送部材３２と、現像ローラ３３とを備えている。
【００２１】
ハウジング３０は、トナー供給装置３から供給されたトナーを収容可能になっている。ハウジング３０は、図３に示すように、上部が開口した一方向に長い箱状に形成されており、トナー供給装置３からのトナーを収容するための第１収容部３０ａおよび第２収容部３０ｂと、現像ローラ３３を配設するためのローラ配設部３０ｃとを有している。第１収容部３０ａには第１搬送部材３１が回転自在に装着されており、第２収容部３０ｂには第２搬送部材３２が回転自在に装着されている。第１収容部３０ａと第２収容部３０ｂとの間には、第１収容部３０ａと第２収容部３０ｂとを隔離するための隔離壁３０ｄが設けられている。この隔離壁３０ｄの長手方向両端部には開口部３０ｇが設けられており（図２を参照）、この開口部３０ｇを介して第１収容部３０ａと第２収容部３０ｂとの間でトナーの受け渡しができるようになっている。ローラ配設部３０ｃには、現像ローラ３３が回転自在に装着されている。また、ハウジング３０には、現像ローラ用ブレード３４が装着されている。この現像ローラ用ブレード３４は、ローラ配設部３０ｃの上部すなわち現像ローラ３３の上部に配置されている。
【００２２】
第１および第２搬送部材３１，３２は、図２から図４に示すように、トナーを攪拌しながら搬送するためのものであり、それぞれが軸部３１ａ，３２ａと羽部３１ｂ，３２ｂとを有している。軸部３１ａ，３２ａは、ハウジング３０に回転自在に装着される。羽部３１ｂ，３２ｂは、軸部まわりに螺旋状に一体に形成されている。たとえば、第１搬送部材３１の羽部３１ｂと第２搬送部材３２の羽部３２ｂとは、互いの螺旋方向が逆になるように軸部３１ａ，３２ａまわりに一体に形成されている。これら羽部３１ｂ，３２ｂには、軸部の一端側から他端側へと螺旋状に延びる連通部すなわち連通路３１ｄ，３２ｄが形成可能なように複数の切欠部３１ｃ，３２ｃが形成されている。連通路３１ｄ，３２ｄは、羽部３１ｂ，３２ｂの螺旋方向と同じ方向に螺旋状に形成されている。この連通路３１ｄ，３２ｄのリード角は、羽部のリード角より大きくなっている。
【００２３】
より詳細には、羽部３１ｂ，３２ｂは、複数の扇形板部３１ｅ，３２ｅと複数の切欠部３１ｃ，３２ｃとを有している。複数の扇形板部３１ｅ，３２ｅは、それぞれが軸部３１ａ，３２ａまわりに所定の間隔を隔てて螺旋状に配置されている。所定の間隔の部分すなわち軸部まわりの螺旋方向に互いに隣接した扇形板部３１ｅ，３２ｅの間の部分が切欠部３１ｃ，３２ｃに相当している。そして、図５に示すように、軸部３１ａ，３２ａまわりに形成されたある１つの扇形板部３１ｅ，３２ｅに対応する軸部３１ａ，３２ａまわりの第１角度αと、扇形板部３１ｅ，３２ｅに隣接するように螺旋方向に形成された切欠部３１ｃ，３２ｃに対応する軸部３１ａ，３２ａまわりの第２角度βとの和は、３６０度より大きくなっている。このように第１角度αおよび第２角度βを設定することにより、複数の切欠部３１ｃ，３２ｃそれぞれを螺旋方向にずらすことができる。ここでは、たとえば、第１角度αが２２５度に設定されており、第２角度βが１８０度に設定されている。このときの螺旋方向へのずれすなわち位相角度をγとすると、複数の切欠部３１ｃ，３２ｃそれぞれは、４５度（γ）ずつ螺旋方向にずれた状態で軸部３１ａ，３２ａまわりに螺旋状に配置されることになる。このように形成された複数の切欠部３１ｃ，３２ｃによって、軸部３１ａ，３２ａの一端側から他端側へと螺旋状に延びる連通路３１ｄ，３２ｄが形成される。
【００２４】
現像ローラ３３は、たとえばマグネットローラである。この現像ローラ３３には、ローラ周面に非磁性体からなるスリーブ（図示しない）が設けられている。このスリーブの内部には、複数の磁極が配置されている。駆動ローラの一端部には、駆動モータ（図示しない）が連結されている。この駆動モータが回転すると駆動ローラが回転し、この駆動ローラの回転に連動して第１および第２搬送部材３１，３２が回転するようになっている。
【００２５】
上記のような現像装置１３では、トナー供給装置３から第１および第２収容部３０ａ，３０ｂにトナーが供給された状態で駆動ローラが回転すると、現像ローラ３３と第１および第２搬送部材３１，３２とが回転する。そして、第１および第２収容部３０ａ，３０ｂに収容されたトナーが、第１および第２搬送部材３１，３２によって攪拌されながら搬送される。このときのトナーは、第１および第２搬送部材３１，３２それぞれの複数の切欠部３１ｃ，３２ｃによって攪拌されながら、第１および第２搬送部材３１，３２の軸部まわりに螺旋状に一体に形成された複数の扇形板部３１ｅ，３２ｅに沿うように、軸部３１ａ，３２ａの一端側から他端側へと搬送される。また、トナーは、第１および第２搬送部材３１，３２それぞれの複数の切欠部３１ｃ，３２ｃによって形成された連通部３１ｄ，３２ｄを通じても、軸部３１ａ，３２ａの一端側から他端側へと搬送される。すると、第１および第２搬送部材３１，３２それぞれによって搬送されたトナーが、収容部からローラ配設部３０ｃへと供給される。このようにローラ配設部３０ｃに供給されたトナーは、ローラ配設部３０ｃに配設された現像ローラ３３の周面に形成される磁界によって、現像ローラ３３の表面に磁気的に保持される。そして、現像ローラ３３の表面に保持されたトナー層厚が一定になるように、現像ローラ３３上のトナーが現像ローラ用ブレード３４によってならされる。この状態で、現像ローラ３３上から感光体ドラム１０上の静電潜像へと、トナーが供給される。
【００２６】
本実施形態では、第１および第２搬送部材３１，３２それぞれにおいて、トナーが、複数の切欠部によって攪拌されながら、複数の扇形板部によって形成される搬送経路と複数の切欠部３１ｃ，３２ｃによって形成される連通路３１ｄ，３２ｄとを通じて現像ローラ３３へと搬送されるので、トナーが第１および第２搬送部材３１，３２それぞれに詰まりにくくなる。また、トナーが扇形板部３１ｅ，３２ｅに付着して扇形板部３１ｅ，３２ｅ間に滞ったとしても、トナーは連通路３１ｄ，３２ｄを通じて現像ローラ３３に搬送可能であるので、トナーが第１および第２搬送部材３１，３２それぞれに詰まりにくくなる。さらに、トナーが扇形板部３１ｅ，３２ｅに付着して扇形板部３１ｅ，３２ｅ間に滞ったとしても、連通路３１ｄ，３２ｄを通過するトナーが、扇形板部３１ｅ，３２ｅ間に滞った現像剤を押し崩すことができる。この理由は、軸部３１ａ，３２ａの回転による遠心力、又はこの遠心力と連通路３１ｄ，３２ｄに沿った方向の搬送方向力との合力が、連通路３１ｄ，３２ｄを通過するトナーに対して働くためである。このように、連通路３１ｄ，３２ｄを通過するトナーが、扇形板部３１ｅ，３２ｅ間に滞ったトナーを押し崩すことにより、トナーが第１および第２搬送部材３１，３２それぞれに詰まりにくくなる。
【００２７】
〔他の実施形態〕
（ａ）前記実施形態では、画像形成装置がプリンタである場合の例を示したが、本発明は複写機やファクシミリ等の画像形成装置に対しても適用することができる。
【００２８】
（ｂ）  前記実施形態では、搬送部材３１，３２の羽部３１ｂ，３２ｂが扇形状の切欠部３１ｃ，３２ｃを有する場合の例を示したが、切欠部３１ｃ，３２ｃの形成態様は、前記実施形態に限定されず、どのようにしても良い。たとえば、図６に示すように、搬送部材３１，３２の羽部３１ｂ，３２ｂが、切り欠き縁１３１ｆ，１３２ｆが曲線状になるような切欠部１３１ｃ，１３２ｃを有するようにしても良い。また、図７に示すように、搬送部材３１，３２の羽部３１ｂ，３２ｂが、切り欠き縁２３１ｆ，２３２ｆが直線状になるような切欠部２３１ｃ，２３２ｃを有するようにしても良い。さらに、図８に示すように、搬送部材３１，３２の羽部３１ｂ，３２ｂが、切り欠き縁３３１ｆ，３３２ｆが略くの字形状になるような切欠部３３１ｃ，３３２ｃを有するようにしても良い。このような切欠部１３１ｃ，１３２ｃ，２３１ｃ，２３２ｃ，３３１ｃ，３３２ｃは、羽部３１ｂ，３２ｂにおいて、軸部３１ａ，３２ａの一端側から他端側へと螺旋状に延びる連通部を形成可能なように複数形成されている。
【図面の簡単な説明】
【００２９】
【図１】本発明の一実施形態によるカラープリンタの概略断面図。
【図２】前記カラープリンタの現像装置を上方から見た図。
【図３】前記現像装置の断面図。
【図４】前記現像装置の搬送部材の部分拡大図。
【図５】前記搬送部材の羽部の形成角度を説明するための模式図。
【図６】本発明の他の実施形態による曲線状の切り欠き縁を有する切欠部を説明するための図。
【図７】本発明の他の実施形態による直線状の切り欠き縁を有する切欠部を説明するための図。
【図８】本発明の他の実施形態によるくの字形状の切り欠き縁を有する切欠部を説明するための図。
【符号の説明】
【００３０】
１０  感光体ドラム
１３  現像装置
３０  ハウジング
３１，３２  搬送部材
３１ａ，３２ａ  軸部
３１ｂ，３２ｂ  羽部
３１ｃ，３２ｃ，１３１ｃ，１３２ｃ，２３１ｃ，２３２ｃ，３３１ｃ，３３２ｃ  切欠部
３１ｄ，３２ｄ  連通路
３１ｅ，３２ｅ  扇形板部
３３  現像ローラ
１３１ｆ，１３２ｆ，２３１ｆ，２３２ｆ，３３１ｆ，３３２ｆ  切り欠き縁
α  第１角度
β  第２角度
【図１】
2006098883.tif 000003
【図２】
2006098883.tif 000004
【図３】
2006098883.tif 000005
【図４】
2006098883.tif 000006
【図５】
2006098883.tif 000007
【図６】
2006098883.tif 000008
【図７】
2006098883.tif 000009
【図８】
2006098883.tif 000010